【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
物体より順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群とが順に配置され、
広角端から望遠端への変倍に際して前記各レンズ群が移動し、
前記第４レンズ群を光軸方向に移動させることで変倍に伴う結像位置の変動を補正すると共に物体距離変化に伴う結像位置の補正を行い、
以下の条件式を満足する
ズームレンズ。
０．６０＜ｆ１／（ｆｗ・ｆｔ）1/2＜１．１０  …（１）
ただし、
ｆ１：前記第１レンズ群の焦点距離
ｆｗ：広角端における全系の焦点距離
ｆｔ：望遠端における全系の焦点距離
とする。
【請求項２】
開口絞りが前記第３レンズ群の近傍に隣接して配置され、
変倍に際し前記第３レンズ群と前記開口絞りとが一体的に移動する
請求項１に記載のズームレンズ。
【請求項３】
以下の条件式を満足する
請求項１または２に記載のズームレンズ。
０＜｜ｆ２｜／（ｆｗ・ｆｔ）1/2＜０．２９  …（２）
ただし、
ｆ２：前記第２レンズ群の焦点距離
とする。
【請求項４】
前記第４レンズ群は少なくとも１つの非球面を有する
請求項１ないし３のいずれか１つに記載のズームレンズ。
【請求項５】
前記第４レンズ群は単レンズで構成される
請求項１ないし４のいずれか１つに記載のズームレンズ。
【請求項６】
以下の条件式を満足する
請求項１ないし５のいずれか１つに記載のズームレンズ。
０．４５＜ｌｏｇ（Ｚ）［β２ｔ／β２ｗ］＜０．８５  …（３）
ただし、
Ｚは底、［β２ｔ／β２ｗ］は真数であり、
Ｚ：変倍比
β２ｗ：前記第２レンズ群の広角端における横倍率
β２ｔ：前記第２レンズ群の望遠端における横倍率
とする。
【請求項７】
変倍に際し、前記第３レンズ群と前記第５レンズ群とが光軸に沿って一体的に移動する
請求項１ないし６のいずれか１つに記載のズームレンズ。
【請求項８】
前記第５レンズ群は、物体側より順に、負の屈折力を有する前群と、正の屈折力を有する後群とで構成され、前記前群を光軸と直交する方向に移動させることによって像のぶれ補正を行い、
以下の条件式を満足する
請求項１ないし７のいずれか１つに記載のズームレンズ。
０．５３＜ｆ５１／ｆ５＜１．０  …（４）
ただし、
ｆ５１：前記前群の焦点距離
ｆ５：前記第５レンズ群の焦点距離
とする。
【請求項９】
前記前群は少なくとも１つの非球面を有する
請求項８に記載のズームレンズ。
【請求項１０】
前記前群は単レンズで構成される
請求項８または９に記載のズームレンズ。
【請求項１１】
実質的に屈折力を有さないレンズをさらに備えた
請求項１ないし１０のいずれか１つに記載の記載のズームレンズ。
【請求項１２】
ズームレンズと、前記ズームレンズによって形成された光学像に応じた撮像信号を出力する撮像素子とを備え、
前記ズームレンズは、
物体より順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群とが順に配置され、
広角端から望遠端への変倍に際して前記各レンズ群が移動し、
前記第４レンズ群を光軸方向に移動させることで変倍に伴う結像位置の変動を補正すると共に物体距離変化に伴う結像位置の補正を行い、
以下の条件式を満足する
撮像装置。
０．６０＜ｆ１／（ｆｗ・ｆｔ）1/2＜１．１０  …（１）
ただし、
ｆ１：前記第１レンズ群の焦点距離
ｆｗ：広角端における全系の焦点距離
ｆｔ：望遠端における全系の焦点距離
とする。
【請求項１３】
前記ズームレンズは、実質的に屈折力を有さないレンズをさらに備える
請求項１２に記載の撮像装置。
【手続補正２】
【補正対象書類名】明細書
【補正対象項目名】００１９
【補正方法】変更
【補正の内容】
【００１９】
［レンズ構成］
図１は、本開示の一実施の形態に係るズームレンズの第１の構成例を示している。この構成例は、後述の数値実施例１のレンズ構成に対応している。なお、図１は広角端で無限遠合焦時でのレンズ配置に対応している。同様にして、後述の数値実施例２〜３のレンズ構成に対応する第２および第３の構成例の断面構成を、図２〜図３に示す。図１〜図３において、符号Ｓｉｍｇは像面を示す。符号ｄｉは、ｉ番目の面とｉ＋１番目の面との光軸Ｚ１上の面間隔を示す。なお符号ｄｉについては、変倍に伴って変化する部分の面間隔（例えば図１ではｄ５，ｄ１０，ｄ１６，ｄ１８）のみ符号を付す。
【手続補正３】
【補正対象書類名】明細書
【補正対象項目名】００４６
【補正方法】変更
【補正の内容】
【００４６】
なお、さらなる高性能化と小型化のためには、条件式（３）の数値範囲を、以下の条件式（３）’の通り、設定することが望ましい。
０．５２＜ｌｏｇ（Ｚ）［β２ｔ／β２ｗ］＜０．７５  …（３）’
【手続補正４】
【補正対象書類名】明細書
【補正対象項目名】００５５
【補正方法】変更
【補正の内容】
【００５５】
ＣＰＵ１１０は、フォーカシング操作等の外部からの操作信号が供給され、その操作信号に応じて種々の処理を実行するようになされている。ＣＰＵ１１０は、例えばフォーカシングボタンによるフォーカシング操作信号が供給された場合、その指令に応じた合焦状態にするべく、ドライバ回路１２０を介して駆動モータ１３０を動作させる。これにより撮像装置１００のＣＰＵ１１０は、フォーカシング操作信号に応じてフォーカスレンズ群（第４レンズ群Ｇ４）を光軸に沿って移動させるようになされている。なお、撮像装置１００のＣＰＵ１１０は、そのときのフォーカスレンズ群の位置情報をフィードバックさせるようになされており、次に駆動モータ１３０を介してフォーカスレンズ群を移動させる際に参照するようになされている。同様にして、ＣＰＵ１１０は、ズーミングの操作信号が供給された場合には、ドライバ回路１２０を介して駆動モータ１３０を動作させる。
【手続補正５】
【補正対象書類名】明細書
【補正対象項目名】００９１
【補正方法】変更
【補正の内容】
【００９１】
また例えば、本技術は以下のような構成を取ることができる。
［１］
物体より順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群とが順に配置され、
広角端から望遠端への変倍に際して前記各レンズ群が移動し、
前記第４レンズ群を光軸方向に移動させることで変倍に伴う結像位置の変動を補正すると共に物体距離変化に伴う結像位置の補正を行い、
以下の条件式を満足する
ズームレンズ。
０．６０＜ｆ１／（ｆｗ・ｆｔ）1/2＜１．１０  …（１）
ただし、
ｆ１：前記第１レンズ群の焦点距離
ｆｗ：広角端における全系の焦点距離
ｆｔ：望遠端における全系の焦点距離
とする。
［２］
開口絞りが前記第３レンズ群の近傍に隣接して配置され、
変倍に際し前記第３レンズ群と前記開口絞りとが一体的に移動する
上記［１］に記載のズームレンズ。
［３］
以下の条件式を満足する、上記［１］または［２］に記載のズームレンズ。
０＜｜ｆ２｜／（ｆｗ・ｆｔ）1/2＜０．２９  …（２）
ただし、
ｆ２：前記第２レンズ群の焦点距離
とする。
［４］
前記第４レンズ群は少なくとも１つの非球面を有する
上記［１］ないし［３］のいずれか１つに記載のズームレンズ。
［５］
前記第４レンズ群は単レンズで構成される
上記［１］ないし［４］のいずれか１つに記載のズームレンズ。
［６］
以下の条件式を満足する、上記［１］ないし［５］のいずれか１つに記載のズームレンズ。
０．４５＜ｌｏｇ（Ｚ）［β２ｔ／β２ｗ］＜０．８５  …（３）
ただし、
Ｚは底、［β２ｔ／β２ｗ］は真数であり、
Ｚ：変倍比
β２ｗ：前記第２レンズ群の広角端における倍率
β２ｔ：前記第２レンズ群の望遠端における倍率
とする。
［７］
変倍に際し、前記第３レンズ群と前記第５レンズ群とが光軸に沿って一体的に移動する
上記［１］ないし［６］のいずれか１つに記載のズームレンズ。
［８］
前記第５レンズ群は、物体側より順に、負の屈折力を有する前群と、正の屈折力を有する後群とで構成され、前記前群を光軸と直交する方向に移動させることによって像のぶれ補正を行い、
以下の条件式を満足する
上記［１］ないし［７］のいずれか１つに記載のズームレンズ。
０．５３＜ｆ５１／ｆ５＜１．０  …（４）
ただし、
ｆ５１：前記前群の焦点距離
ｆ５：前記第５レンズ群の焦点距離
とする。
［９］
前記前群は少なくとも１つの非球面を有する
上記［８］に記載のズームレンズ。
［１０］
前記前群は単レンズで構成される
上記［８］または［９］に記載のズームレンズ。
［１１］
実質的に屈折力を有さないレンズをさらに備えた
上記［１］ないし［１０］のいずれか１つに記載のズームレンズ。
［１２］
ズームレンズと、前記ズームレンズによって形成された光学像に応じた撮像信号を出力する撮像素子とを備え、
前記ズームレンズは、
物体より順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群とが順に配置され、
広角端から望遠端への変倍に際して前記各レンズ群が移動し、
前記第４レンズ群を光軸方向に移動させることで変倍に伴う結像位置の変動を補正すると共に物体距離変化に伴う結像位置の補正を行い、
以下の条件式を満足する
撮像装置。
０．６０＜ｆ１／（ｆｗ・ｆｔ）1/2＜１．１０  …（１）
ただし、
ｆ１：前記第１レンズ群の焦点距離
ｆｗ：広角端における全系の焦点距離
ｆｔ：望遠端における全系の焦点距離
とする。
［１３］
前記ズームレンズは、実質的に屈折力を有さないレンズをさらに備える
上記［１２］に記載の撮像装置。